(57)【特許請求の範囲】
【請求項１】
中空のブームの管壁には、軸心方向に適当な間隔を隔てて、夫々中空管状のアンテナ素子をブームの軸線に直交する方向に貫通させる為の二個一対の管壁孔を複数備えさせると共に、
中空のブームにおける内側においては、中空ブームの断面形状において、上記アンテナ素子の存置予定位置の両側方となる位置に対して、夫々幅方向が上記アンテナ素子の長手方向に沿う方向であって、かつ、長手方向が上記ブームの軸心方向に向けて長く伸びる状態のリブを夫々配置し、
しかもそれらのリブの配置状態においては、夫々のリブの断面形状における元部側はブームの管壁に一体的に固着され、夫々のリブの断面形状における先端側は自由端とされ、夫々のリブの断面形状における元部側と自由端側との間であって、アンテナ素子の存置予定位置に夫々対向する側には、自由端側をアンテナ素子の存置予定位置の側に向けて曲げるときに、曲がり易くする為の溝が、夫々リブの長手方向に長く形成されているブームを用意し、
上記ブームに対しては、軸心方向に適当な間隔を隔てて備えさせてある上記二個一対の管壁孔に夫々中空管状のアンテナ素子を貫通させ、
次に、上記長手方向が上記ブームの軸心方向に向けて長く伸びる状態の夫々のリブの断面形状における自由端側と、上記元部側から離れている溝との間の部材に圧力を加えて、
上記夫々のリブの断面形状における上記夫々の元部側と溝との間の部材の状態を残して、上記長手方向が上記ブームの軸心方向に向けて長く伸びる状態の夫々のリブの断面形状における自由端側を、上記夫々の溝の部分からアンテナ素子の管壁の側に曲げ、
上記夫々の長手方向が上記ブームの軸心方向に向けて長く伸びる状態のリブにおける自由端の内、上記中空管状アンテナ素子の管壁に対応する各部分を、夫々管壁に押し当てて、中空管状のアンテナ素子の対応する外周面を凹ませ、上記リブの各部分における自由端と、中空管状のアンテナ素子の外周面における凹部とを夫々嵌合せることにより、中空管状のアンテナ素子の回動と、アンテナ素子の長手方向への移動を阻止するようにすること特徴とするアンテナの製法。
【請求項２】
中空のブームの管壁には、軸心方向に適当な間隔を隔てて、夫々中空管状のアンテナ素子をブームの軸線に直交する方向に貫通させる為の二個一対の管壁孔を複数備えさせると共に、
中空のブームにおける内側においては、中空ブームの断面形状において、上記アンテナ素子の存置予定位置の夫々側方となる位置に対して、幅方向が上記アンテナ素子の長手方向に沿う方向であって、かつ、長手方向が上記ブームの軸心方向に向けて長く伸びる状態のリブを配置し、
しかもそれらの夫々のリブの配置状態においては、夫々のリブの断面形状における元部側はブームの管壁に一体的に固着され、夫々のリブの断面形状における先端側は自由端とされ、夫々のリブの断面形状における元部側と自由端側との間であって、アンテナ素子の存置予定位置に対向する側には、自由端側をアンテナ素子の存置予定位置の側に向けて曲げるときに、曲がり易くする為の溝が、夫々リブの長手方向に長く形成されているブームであって、
上記ブームに対しては、軸心方向に適当な間隔を隔てて備えさせてある上記二個一対の管壁孔に夫々中空管状のアンテナ素子を貫通させた状態で、
上記長手方向が上記ブームの軸心方向に向けて長く伸びる状態の夫々のリブの断面形状における自由端側と、上記元部側から離れている上記溝との間の部材に夫々圧力を加えて、上記夫々のリブの断面形状における上記夫々の元部側と溝との間の部材の状態を残して、上記長手方向が上記ブームの軸心方向に向けて長く伸びる状態の夫々のリブの断面形状における自由端側を、上記夫々の溝の部分からアンテナ素子の管壁の側に曲げ、
上記夫々の長手方向が上記ブームの軸心方向に向けて長く伸びる状態のリブにおける自由端の内、上記中空管状アンテナ素子の管壁に対応する各部分を、夫々管壁に押し当てて、中空管状のアンテナ素子の対応する外周面を夫々凹まし、上記リブの各部分における自由端と、中空管状のアンテナ素子の外周面における凹部とが嵌合されることにより、中空管状のアンテナ素子の回動と、アンテナ素子の長手方向への移動が阻止されるようにしてあること特徴とするアンテナ。
【発明の詳細な説明】
【０００１】
【発明の属する技術分野】
本発明は、例えばＵＨＦ、その他の通信信号の送受をする場合に、ブームの軸線方向に適当な間隔を隔てて複数個の貫通孔を備えさせ、その貫通孔に対して、パイプ状のアンテナ素子を貫通させた状態で固定して利用する形式のアンテナに関するものである。
【０００２】
【従来の技術】
従来より、ブームの軸線方向の適当な間隔を隔てた位置に、夫々ブームの軸線に対して直交する方向に向けた複数個の貫通孔を備えさせ、上記複数個の貫通孔の夫々にパイプ状のアンテナ素子を貫通させ、これらのアンテナ素子をブームに夫々固定させたアンテナ及びそのようなアンテナを製造する方法は広く知られている（例えば、特許文献１参照）。   上記従来の固定手段は、アンテナ素子の管内に可塑性材料で形成されている金属製の中空管を挿入し、それをブームの軸線を中心として位置させ、その中空管内に両側から棒状治具の先端を挿入し、両側から加圧することにより中空管の入口を半径方向に変形させて、その変形作用によりアンテナ素子におけるブーム内の管壁の全周を夫々径方向に拡張させてブームの貫通孔の内側の孔縁に圧接させることによりアンテナ素子をブームに固定させる手段を用いている。
【０００３】
【特許文献１】
特開昭５７−１１５００１号公報（図３，図６）
【特許文献２】
実開昭５７−２７０７号公報（図３）
【０００４】
【発明が解決しようとする課題】
この従来のアンテナの製造方法では、中空管における両端の管口の拡張の度合が、中空管における中央部における拡張の度合よりも大きくなり、必然、アンテナ素子におけるブーム内の管壁における孔縁近くの管壁が急激な角度でもって径方向に局部的に拡張される。このように管壁の一部が局部的に拡張されると経時使用によって、そこが繰返し曲げ荷重を集中的に受けて傷む等、耐久性に欠ける問題点があった。また一つのアンテナ素子に対して一つの中空管を消耗品として必要とする為部品コストが嵩み生産コストを高める問題点もあった。
そこで上記消耗品を節約する為に、アンテナ素子におけるブーム内の管壁における孔縁近くの管壁を消耗品を用いることなく機械的に膨出させる手段として図８に示されるものがある（例えば、特許文献２参照）。
【０００５】
このような公知の手段により製造されるアンテナは、製造時において、ブーム２の管内にアンテナ素子6を貫通させ、アンテナ素子6をブーム２に固着させる作業は、棒状治具14,14の夫々の先端における傾斜状態の対向面15,15を図８（Ａ）の準備状態に成し、次に、棒状治具14,14の夫々の先端における傾斜状態の対向面15,15を、図８（Ｂ）の位置にまで両側から前進させる。すると傾斜状態の対向面15,15の重なりが大きくなることにより、そこの対向面15,15の重なり部分の外周が大きくなり、アンテナ素子６の内径を図示のように膨らます。しかしかかる作業において対向面15,15の間にゴミ１６が介在した場合には、対向面15,15の重なり部分の外周が予定寸法よりも大きくなり、図示のようにブーム管壁４の孔縁4b近くに形成予定の膨出部7aの膨出量が、予定したよりも大きく突出し、ブームの管壁の孔縁4b近くにおいてアンテナ素子６の管壁７を破損させる問題点があった。
また、傾斜状態の対向面15,15の重なりが予定よりも少ない場合には、アンテナ素子６の膨出部7aがブーム２の管壁の孔縁4b近くに突出せず、予定した場所よりもブーム２の管内の中間部寄りに膨出部7aが突出する。すると膨出部7aがブームの孔縁4bの内側に接しないで離れ、アンテナ素子は固着されず、軸芯方向にずれ、不良品発生率を高める問題点があった。
【０００６】
また、予定通りブーム２の管壁の孔縁4b近くに膨出部7aを突出させ、アンテナ素子６を固着したものであっても、アンテナが暴風雨に晒されて、ブーム２とアンテナ素子６が暴風雨による振動を受けたとき、ブーム２から突出するアンテナ素子はブームの管壁の孔縁4b近くにおける上記膨出部7a近くを支点として振動する。
このことは、アンテナ素子が共振現象により、上記弱体化している膨出部7a近くを支点として繰返し曲げ荷重を受けることになり、アンテナ素子の管壁は、膨出部7a近くで金属疲労によって局部的に傷み、折損する問題点があった。
【０００７】
本件出願の目的は、中空のブームに対し、アンテナ素子を固定した状態においてその固定部分が外部からは見ることができず、外観的に美しい状態で固着されたアンテナを提供しようとするものである。
本件出願の他の目的は、アンテナが暴風雨に晒されてアンテナ素子が暴風雨により共振的な振動を受けたときでも、ブームから突出するアンテナ素子の元部の止付部分はあまり影響を受けないように、ブーム管内における上記ブームの管壁孔から離れた中間寄りの位置に設定し、アンテナ素子の受け止めは、ブームの管壁における孔縁でアンテナ素子の途中を受け止めるようにして止付部分に対する共振現象を柔らかなものにし、アンテナ素子におけるブームの管壁孔縁近くの損傷を防ぎ、アンテナ素子の寿命を高いものにすることのできるアンテナを提供しようとするものである。
本件出願の他の目的は、ブームにアンテナ素子を貫通させ、アンテナ素子をブームに固着させる作業のとき、ラフな加工精度でもって両者の結合を行うことができ、もって加工能率が上がるように構成したアンテナを提供しようとするものである。
【０００８】
他の目的は、ブームの管内に位置する中空管状のアンテナ素子部分であって、上記ブームの管壁における管壁孔から離れた中間寄りの位置にある上記アンテナ素子の周面に対し、ブームの管内に備えさせたリブを押し当てることを行う場合においては、上記のリブの元部側は予め管壁に一体的に固着しておき、夫々のリブにおけるアンテナ素子の管壁に当接させる側は自由端にしておき、かつ、途中には、自由端側を曲げるとき、曲がり易くする為の溝を備えさせることにより、アンテナ素子に対するリブの押付作業は、軽い力でリブを変形させることができ、それにより能率を向上させることができるアンテナを提供しようとするものである。
【０００９】
その上、ブーム管内において、ブームに固着されているリブを変形させる構成であっても、上記ブームの管壁の方向に対しては、力が発生しないようにして、管壁に悪影響をもたらさないようにできるアンテナを提供しようとするものである。
他の目的及び利点は図面及びそれに関連した以下の説明により容易に明らかになるであろう。
【００１０】
【課題を解決するための手段】
本発明におけるアンテナは、中空のブームの管壁には、軸心方向に適当な間隔を隔てて、夫々中空管状のアンテナ素子をブームの軸線に直交する方向に貫通させる為の二個一対の管壁孔を複数備えさせると共に、
中空のブームにおける内側においては、中空ブームの断面形状において、上記アンテナ素子の存置予定位置の両側方となる位置に対して、夫々幅方向が上記アンテナ素子の長手方向に沿う方向であって、かつ、長手方向が上記ブームの軸心方向に向けて長く伸びる状態のリブを夫々配置し、
しかもそれらのリブの配置状態においては、夫々のリブの断面形状における元部側はブームの管壁に一体的に固着され、夫々のリブの断面形状における先端側は自由端とされ、夫々のリブの断面形状における元部側と自由端側との間であって、アンテナ素子の存置予定位置に夫々対向する側には、自由端側をアンテナ素子の存置予定位置の側に向けて曲げるときに、曲がり易くする為の溝が、夫々リブの長手方向に長く形成されているブームを用意し、
上記ブームに対しては、軸心方向に適当な間隔を隔てて備えさせてある上記二個一対の管壁孔に夫々中空管状のアンテナ素子を貫通させ、
次に、上記長手方向が上記ブームの軸心方向に向けて長く伸びる状態の夫々のリブの断面形状における自由端側と、上記元部側から離れている溝との間の部材に圧力を加えて、
上記夫々のリブの断面形状における上記夫々の元部側と溝との間の部材の状態を残して、上記長手方向が上記ブームの軸心方向に向けて長く伸びる状態の夫々のリブの断面形状における自由端側を、上記夫々の溝の部分からアンテナ素子の管壁の側に曲げ、
上記夫々の長手方向が上記ブームの軸心方向に向けて長く伸びる状態のリブにおける自由端の内、上記中空管状アンテナ素子の管壁に対応する各部分を、夫々管壁に押し当てて、中空管状のアンテナ素子の対応する外周面を凹ませ、上記リブの各部分における自由端と、中空管状のアンテナ素子の外周面における凹部とを夫々嵌合せることにより、中空管状のアンテナ素子の回動と、アンテナ素子の長手方向への移動を阻止するようにした。
【００１１】
また好ましくは、
中空のブームの管壁には、軸心方向に適当な間隔を隔てて、夫々中空管状のアンテナ素子をブームの軸線に直交する方向に貫通させる為の二個一対の管壁孔を複数備えさせると共に、
中空のブームにおける内側においては、中空ブームの断面形状において、上記アンテナ素子の存置予定位置の夫々側方となる位置に対して、幅方向が上記アンテナ素子の長手方向に沿う方向であって、かつ、長手方向が上記ブームの軸心方向に向けて長く伸びる状態のリブを配置し、
しかもそれらの夫々のリブの配置状態においては、夫々のリブの断面形状における元部側はブームの管壁に一体的に固着され、夫々のリブの断面形状における先端側は自由端とされ、夫々のリブの断面形状における元部側と自由端側との間であって、アンテナ素子の存置予定位置に対向する側には、自由端側をアンテナ素子の存置予定位置の側に向けて曲げるときに、曲がり易くする為の溝が、夫々リブの長手方向に長く形成されているブームであって、
上記ブームに対しては、軸心方向に適当な間隔を隔てて備えさせてある上記二個一対の管壁孔に夫々中空管状のアンテナ素子を貫通させた状態で、
上記長手方向が上記ブームの軸心方向に向けて長く伸びる状態の夫々のリブの断面形状における自由端側と、上記元部側から離れている上記溝との間の部材に夫々圧力を加えて、上記夫々のリブの断面形状における上記夫々の元部側と溝との間の部材の状態を残して、上記長手方向が上記ブームの軸心方向に向けて長く伸びる状態の夫々のリブの断面形状における自由端側を、上記夫々の溝の部分からアンテナ素子の管壁の側に曲げ、
上記夫々の長手方向が上記ブームの軸心方向に向けて長く伸びる状態のリブにおける自由端の内、上記中空管状アンテナ素子の管壁に対応する各部分を、夫々管壁に押し当てて、中空管状のアンテナ素子の対応する外周面を夫々凹まし、上記リブの各部分における自由端と、中空管状のアンテナ素子の外周面における凹部とが嵌合されることにより、中空管状のアンテナ素子の回動と、アンテナ素子の長手方向への移動が阻止されるようにしたのである。
【００１２】
【発明の実施の形態】
以下本発明の実施の形態を示す図面について説明する。図１乃至図４において、１はＶＨＦ〜ＵＨＦ波などの任意の通信信号（画像信号を含む）の送受に利用される周知のアンテナを示す。２は、周知のようにアルミニウム或は塑性変形可能な硬質材等によって形成された断面が丸（又は図７に２点鎖線で示すような四角を含む多角形状）の中空のブームを示し、通常建造物の上に樹立させたマスト1aの上方に装着され、通信の送受の方向に向けて配置される。
ブーム２の軸線方向においては、図１に示されるように導波器10、放射器８、反射器９を高周波的に適当な間隔を隔てた位置に備えている。
導波器10が設けられているブーム２にあっては、夫々ブーム２の軸線に対して直交する方向に向けて適当な間隔を隔てて、複数個の貫通孔4aを備える。
この中空ブーム２の管壁４に設けた貫通孔4aは、中空管状のアンテナ素子６をブームの軸線に直交する方向に貫通させる為の二個一対の管壁孔4aとなっている。
【００１３】
図１、図２、図３、図４、図５に示される中空のブーム２の内側には、図示されるようにブーム２の軸線方向に伸びるリブ３を備える。
それらのリブ３の断面形状における元部側3cは、夫々管壁４と一体的に成形して固着状態にしてあり、夫々のリブ３の断面形状における先端側3bは、パイプ（ブーム２）製造段階では図３、図４（B）に一点鎖線で示されているように水平に伸び、自由端に構成してある。従って、ブーム２の内部には、図３において、上下のリブ３、３の中間位置に中空部2aが、上下のリブ３、３の上方と、下方の両側に中空部2b、2bが存在することになる。
【００１４】
上記中空部2aには円筒状のアンテナ素子６を挿通し、その円筒状のアンテナ素子６を挿通後、図３の一点鎖線位置にあった４箇所の先端3bを図の実線位置に曲げることにより、図示のようにアンテナ素子の部分６aの外周面を凹ませる。これにより、アンテナ素子の部分６aの対応部分４箇所にブーム２の軸心に平行で平坦になっている谷部7dを備える凹部7bが構成される。
また各谷部7dには上記先端3bが圧接し、アンテナ素子の部分６aの回り止めとなる。また凹部7bの両傾斜面が、アンテナ素子の部分６aの図３の左右方向へ移動することを防止する。なお3aは、リブ３の中央位置に設けた１条（又は複数条）の溝で、軸心方向（リブ３の長手方向）に長く形成し、先端3bを矢印２６方向に曲げるときに、曲がり易くしたものである。
【００１５】
ブーム２における上記の中空部2b、2bは後述の押型２０を通過させる為の空間である。押型２０を通過させることにより、各先端3bを矢印２６方向に曲げ、アンテナ素子の部分６aに押圧することができる。ブーム２の管壁４におけるリブ３、３の相互間4cにおいては図示の如く肉厚にしてある。この肉厚部4cを厚くすることにより、アンテナ素子６の外周面に対向する面が広くなり、アンテナ素子６を保持する面積が増加する。従ってリブ３を押圧加工するとき、アンテナ素子６の外周に歪みをもたらせ難くすること、及び、アンテナ素子６を安定保持することのできる効果が生じる。また肉厚部4cの存在により、先端3bを曲げるときの管壁４に対する歪みの発生が防止できる。
上記のようにブーム２の内部にリブ３が配置されると、ブーム２の曲げに対する強度が増大し、ブーム２のサイズを細く、軽くする上に効果がある。
なお、このように内部にリブ３を備えるブーム２は通常知られているように雄型と雌型のダイスを用いた押出成型法を応用して製作される。
【００１６】
次に図６に示されている押型20について説明する。押型20の外形形状は図６に示されているような形状で、かつ、硬質材例えば金属材でもって形成される。
押型20の断面形状は、図６における（Ａ）（Ｂ）（Ｃ）（Ｄ）の側面図と断面図から理解できるように、ブーム２の管内の両側にある中空部2b,2bを通過させることができるように、そこの断面形状を考慮して対応決定する。
押型20の外面21は全体的な感覚としてはブーム２の内周面の円弧形状に対応させ、そこへの圧接を可能に対応断面形状にしてある。
押型20における断面形状において、20bは、中空部2bに対して挿入し易いように比較的小さく形成された先行部を示し、20cは、図３に一点鎖線で示されているリブの先端3bを僅かにアンテナ素子の谷部7bの側に折り曲げて、次の本曲げに備えさせる為に図６（Ｃ）のような内向きの押曲部22aを有する予備曲部を示す。20dは、図３、４に実線で示されるように最終的にリブの先端3bをアンテナ素子の谷部7bに曲付け、形成した谷部7bに接圧させるためのもので、図６（D）のような、リブに当付ける為の内向きの押付部22bを有する本曲部を示す。
押型20の断面形状の説明にあたっては、図６における（Ａ）（Ｂ）（Ｃ）（Ｄ）の側面図と断面図を用いて断片的に説明したが、図面から理解できるように上記のリブ３の曲付け作業は、図６（Ｂ）から（D）に向けて逐次行われるように斜面22aと22bとは連続さしてある。図６において下面２２の22dは凹状の逃げ部を示す。22cは補助押圧部を示し、図４の状態で中空部2bを通過させる場合、その下面22cを膨出部7aに圧接させながら進行する。こうすることにより、リブの先端3bが凹部7bを軽い力で押圧できるようになる。但し、先端3bの材質によっては下面22cを膨出部7aに接しないようにしてもよい。
【００１７】
押型２０の後端には図５，６に示されるように操作部材２５を着脱自在に一体状に付設しておく。この部材２５は硬質材の棒状のもので、その長さは、図１に示されるブーム２に付設した複数のアンテナ素子６の存在する区間に押型２０を進退操作できるに十分な長さにしてある。部材２５としては、押型２０の先端に細いワイヤーを一体的に付設し、そのワイヤーでもって押型２０をブーム２の内部に引込み、通過路２４を通過させることにより、複数のアンテナ素子６をブーム２に対して夫々止着する作業に用いてもよい。
押型２０の数は、図５に示すように対称的な構成のものが２個１対であれば良い。これらを同時に夫々の通過路2b、2bに挿通し、同時に通過させることによって、押型２０の押圧部22a、22bによって極めて能率よく、リブ３を変形させ、複数のアンテナ素子を次々とリブ３によって固着することができる。しかしながら押型２０の数が１つの場合は、一方の通過路2bを通過させた後、残る他方の通過路2bを通過させることによりブーム２のリブ孔３により複数のアンテナ素子６を固着するようにしても、やはり能率の良い作業ができる。
【００１８】
次にブーム２に装着するアンテナ素子６を固着する手段について説明する。
先ず、ブーム２の管壁孔4aにアンテナ素子６を図５に示されているように貫通させる。この場合、アンテナ素子６の両端閉塞等の必要な端面処理加工は、作業のし易い場所において、予め能率良く施しておくと、その後の加工が単純化される（複雑にならない）効果がある。
【００１９】
次に中空部2bに図６に示される押型２０を挿通して通過させる。その通過の状態は上面２１がブーム２の内周面に接圧する状態で通過させる。すると図６の（C）図における内向き押曲部22aの辺りで図３の先端3bを矢印２６方向に僅かに押し曲げ、さらに図６の（D）図における押付部22bの辺りで、図３の先端3bから、上記元部側3cから離れている溝3aとの間の部材に圧力を加えて、図３の先端3bを矢印２６方向に向けて強く大きく押し曲げる。この場合、図３、図４に表れているように、夫々のリブ３の断面形状における元部側3cと溝3aとの間の部材の状態はそのまま残して、上記リブ３の断面形状における自由端側3bを、溝3aの部分からアンテナ素子の管壁７の側に曲げる。
この場合のリブ3bに対する押型２０の位置関係は、図４に一点鎖線で示す関係位置になる。このようにして上記のリブ３に加圧を施して、リブ３の一部を変形させることにより、リブ３の自由端3bを上記中空管状アンテナ素子の管壁7aに押し当てる。
その押し当てによって中空管状のアンテナ素子における一部分6aの外周面7bを凹ませ、図２に現れるように両側を膨らませ、リブの自由端3bと中空管状のアンテナ素子の外周面における凹部7bとを図３，４のように嵌合させる。なお中央部分7aは図２のように上下にやや細る状態になるが抜止め効果はある。
上記の嵌合により、中空管状のアンテナ素子6aの回動と、アンテナ素子６の長手方向への移動は阻止される。
【００２０】
なお一般的なブームとアンテナ素子の寸法関係は、ブーム（アルミ）２の外径は：２２mm、ブーム２の内径は：２０mm、ブームの管壁の貫通孔の内径は：８.１mm、アンテナ素子（アルミ）の外径は：８mm、アンテナ素子の内径は：７mmが妥当な寸法。
次に押型２０と、通過路2bと、ブーム２と、リブ３の寸法関係は、それらの部材相互の肉厚の変更に伴う曲がり具合いの相関関係によって多少は異なるが、あえて例示すれば押型２０の全長１００mm、本曲げ付部20dの区間は２０mm、断面形状は、高さ寸法７．０mm、押付部22bの傾斜角８０°になる。
リブ３における図４（B）の先端3bまでの突出寸法は、下面側において５．５mm、溝3aから先端までは２．８mm、図４（B）のリブ３における押圧状態の高さ寸法は３．４mm、厚みｔは１．０mm、図３の上下に位置するリブ相互間の内寸法はアンテナ素子６よりも僅かに大きく、８．５mmに設定してある。
しかし以上記載した寸法は、アンテナの用途が異なることによって、ブームの大きさ、アンテナ素子の寸法などが変更される為、それに伴い夫々の寸法は対応して変更しなければならない。
【００２１】
次に、図７の（Ａ）、（Ｂ）に示されるものは、図３，４のリブ３とは異なる実施例のリブ３の形状を示すものである。
（A）は、図４における左側の上下二つのリブ３、３を備えさせることのない状態の実施例を示すもので、右側のリブ３、３によってのみ、本発明の実施例を構成するようにしたものである。
（Ｂ）は、上下においてリブ３の元部3cの固着位置が異なる例を示す図で、リブ３、３は夫々中央部に向け互いに伸びており、中央部において上下からアンテナ素子６を押圧し、その押し圧によって中空管状のアンテナ素子における一部分6aの外周面7bを凹ませ、リブの自由端3bと中空管状のアンテナ素子の外周面における凹部7bとを嵌合させる。
この嵌合により、中空管状のアンテナ素子の回動と、アンテナ素子の長手方向への移動を阻止するようにしたものである。
なお、図７において前述の図３，４のものと機能、性質又は特徴等が同一又は均等構成と考えられる部分には、前述の図３，４と同一の符号を付して重複する説明を省略する。また押型２０を用いての製法も、押型の内面22を対応形状にして同様の考えで行えばよい。
【００２２】
【発明の効果】
本発明は、ブーム２の管内に位置するアンテナ素子の部分６aにおいて、ブーム２の管壁４における管壁孔4aから離れた位置に設けられる凹部7b、7b に対して、元部側3cが夫々管壁４に一体的に固着してあるリブ３の自由端3bを夫々当接させて上記アンテナ素子の部分６aを固着するものであるから、
中空のブーム２に対し、アンテナ素子６を固定した状態においては、それの固定部分7b、3bが外部からは見ることができず、外観的に美しい状態で固着されたアンテナを提供できる効果がある。
【００２３】
その上本発明にあっては、上記のように構成したことによって、アンテナが暴風雨に晒されて、アンテナ素子６が暴風雨による振動を受けたとき、上記の固着部分7b,3bは、ブーム２の管内の中央寄り位置にあって管壁４により守られており、ブーム２の二つの孔縁4b、4b がアンテナ素子６の固着部分7a、3bの振れによる折損を防ぐ為の支柱の役割を果たす効果がある。
本件発明にあってはこのようにして、アンテナ素子６の全体の共振現象を柔らかなものにし、アンテナ素子６におけるブームの管壁の孔縁4b、4b近くの損傷を防いで、アンテナ素子６の寿命を高めることのできる効果がある。
【００２４】
更に本発明にあっては、図４（Ａ）からも理解できるように、「リブ３における断面形状の幅方向は、アンテナ素子の長手方向に沿う方向に伸びており、しかも、リブ３の断面形状における元部側3cと自由端側3bとの間であって、アンテナ素子６の存置予定位置に夫々対向する側には、自由端側3bをアンテナ素子の存置予定位置の側に向けて曲げるときに、曲がり易くする為の溝3aが形成されている」構成である。
従って、 各断面図からも理解できるように、曲げ加工の対象となる部材、即ち、「リブ３の自由端側3bと、溝3aとの間に存在する部材」の存在場所は、上記「リブ３の元部側3c」から遠く離れ、ブーム２の断面中における「中心部に近い広い場所」に設定されることになる。
このことは、例えば「リブ３の元部側3cと溝3aとの間の部材」を、その「リブ３の元部側3cと溝3aとの間の部材が存在する場所の外側の三角形状の狭い空間」において「アンテナ素子の管壁の側に曲げ付ける作業」に比較して、
上記の広くて、大きな作業空間に向けて持出し状態になっている上記の「リブ３の自由端側3bと上記溝3aとの間の部材」に対して圧力を加えて、上記リブの自由端側3bをアンテナ素子の管壁の側に曲げ付ける作業は、
例えば大きな押型20を用いて加工能率を向上させることができるという利点があり、その上に、
曲げ加工の技術精度は、大きく緩和され、非常に気楽なものとなり、能率よく曲付け作業のできる加工面での効果も生じる。
【００２５】
さらに本発明にあっては、各断面図からも理解できるように、「リブ３における断面形状の幅方向は、アンテナ素子の長手方向に沿う方向に伸びており、しかも、リブ３の断面形状における元部側3cと自由端側3bとの間には、自由端側3bをアンテナ素子の存置予定位置の側に向けて曲げるときに、曲がり易くする為の溝3aが形成されている」。
従って、リブ３の自由端側3bを、アンテナ素子の管壁７の側に曲げる作業においては、「ブーム管壁４と一体化しているリブ３の元部側3cと溝3aとの間の部材の状態を残したまま」、上記持出し状態になっている「リブ３の自由端側3bと、上記元部側3cから離れている溝3aとの間の部材」に対して軽い圧力を加えて、上記リブの自由端側3bをアンテナ素子の管壁の側に曲げ付けることのできる特長がある。
このことは、当然のことながら、リブ３の断面における先端側3bの曲げ付けに必要な力は、リブ３の元部側3cのブーム管壁４に対する固着状態とは関係なく、比較的軽い力で曲げ加工を施すことができ、曲げ加工の精度を高め、かつ、作業能率を向上させる上に効果が生じる。
【００２６】
さらに本発明にあっては、各断面図からも理解できるように、「リブ３の断面形状における元部側3cと自由端側3bとの間に対して、自由端側3bをアンテナ素子の存置予定位置の側に向けて曲げるときに、曲がり易くする為の溝3aが形成されている」。
従って、リブ３の自由端側3bを、アンテナ素子の管壁７の側に曲げる作業においては、上記自由端側3bに加わる力は「曲がり易くする為の溝3a」の場所で、一部遮断され、リブ３の「元部側3cと溝3aとの間の部材」に対しては大きな曲げ力は加わり難いことになる。
このことは、リブ３の自由端側3bに圧力を加えて、アンテナ素子の管壁７の側に曲げる作業を施した場合にでも、ブーム２の管壁４における管壁孔4aに対する歪み（異形化）の心配はなく、管壁孔4aを歪ませてブーム２の管内に雨水を導入したり、或いは、ブーム管壁４の孔縁4b、4bでアンテナ素子６におけ外周を損傷させる事故を予め防いで、アンテナ素子６の寿命を高めることのできる効果がある。
【００２７】
さらに本発明は、長手方向がブーム２の軸心方向に向けて長く伸びる状態のリブ３の元部側3cと溝3aとの間の部材の状態を残して、リブ３の自由端側3bを、溝3aの部分からアンテナ素子６の管壁７の側に曲げることにより、長手方向がブーム２の軸心方向に向けて長く伸びる状態のリブ３における自由端3bの内、中空管状アンテナ素子６の管壁７に対応する各部分3bを、管壁７に押し当てて、中空管状のアンテナ素子６の対応する外周面を凹ませ、リブ３の自由端3bと中空管状のアンテナ素子６の外周面７における凹部7bとを夫々嵌合せる構成であるから、
ブーム２の管壁４に外傷を加える必要は無く、長寿命のブームとして利用できる効果がある。
上記の「長手方向がブーム２の軸心方向に向けて長く伸びる状態のリブ３」の元部側3cと溝3aとの間の部材は、その状態が残ることになるので、ブーム２における管壁４は内部から補強されることになり、前述したようにブーム２の管壁４の曲げ強度が増大し、ブーム２のサイズを細く、或は肉厚を薄くして軽くする上に効果がある。
その上、「リブ３の自由端側3bを、溝3aの部分からアンテナ素子６の管壁７の側に曲げる」ことにより、自由端側3bに加えられる力は、溝3aで遮断され、元部側3cには大きな力が加わらないので、ブーム２の管壁４が薄くて弱体でも、管壁４を傷めない効果がある。
さらにその上、「長手方向がブーム２の軸心方向に向けて長く伸びる状態のリブ３」の自由端側3bを、溝3aの部分からアンテナ素子６の管壁７の側に曲げた状態は、図２からも理解できるように、リブ３における曲げられた自由端側3bの部材が、ブーム２の軸心方向に向けて一連状態で連続することになる。
このことは、当然のことながらアンテナ素子６の管壁７の側から、リブ３の自由端側3bの１部に、局部的な反力が作用しても、「長手方向がブーム２の軸心方向に向けて長く伸びる状態のリブ３」の全体でこれを受け止めて耐え、アンテナ素子の固定状態を維持することになる。
【図面の簡単な説明】
【図１】  アンテナの斜視図。
【図２】  図１におけるII−II線断面図。
【図３】  図１におけるIII−III線断面図。
【図４】  （Ａ）は図１におけるIV−IV線断面図、（Ｂ）は、（Ａ）図の右上にあるリブ３と管壁の谷部7dとの関係を示す部分拡大図。
【図５】  ブームにアンテナ素子を貫通させた段階の部分破断斜視図と、ブームの内部通過路を通過させる押型20、20の関係を示す為の斜視図。
【図６】（Ａ）は押型２０の側面図、（Ｂ）はVーV線断面図、（C）はVIーVI線断面図、（D）はVIIーVII線断面図。
【図７】  （Ａ）、（Ｂ）は、図４に示されるリブとは異なる実施例を示す断面図。
【図８】  従来において、ブームの内側に位置するアンテナ素子の一部を膨出させる為の手段の一例を示す為の図面であって、（Ａ）は、膨出加工寸前の状態を示す縦断面図。（Ｂ）はブームの管壁内面の間際を膨出させた状態を示す縦断面図。
【符号の説明】
１・・・アンテナ、２・・・ブーム（アーム）、３・・・リブ、４・・・管壁、4a・・・管壁孔、4b・・・管壁の孔縁、６・・・アンテナ素子（導波素子）、７・・・管壁、7a・・・膨出部、7b・・・凹部、８・・・放射器、９・・・反射器、１０・・・導波器、２０・・・押型、２１・・・外面、２２・・・内面、２５・・・操作部材。
【図１】
0004256686.tif 000002
【図２】
0004256686.tif 000003
【図３】
0004256686.tif 000004
【図４】
0004256686.tif 000005
【図５】
0004256686.tif 000006
【図６】
0004256686.tif 000007
【図７】
0004256686.tif 000008
【図８】
0004256686.tif 000009